【手続補正書】
【提出日】平成19年5月15日(2007.5.15)
【手続補正１】
【補正対象書類名】特許請求の範囲
【補正対象項目名】全文
【補正方法】変更
【補正の内容】
【特許請求の範囲】
【請求項１】
原動機と連結された主軸に取り付けられた少なくとも１つの羽根車と、
該羽根車に対応して設けられた少なくとも１つのケーシングと、
該ケーシングの開放端を密閉するケーシングカバーと、
該ケーシングカバーを主軸が貫通する部分に設けられた軸封装置とを備えた遠心式ポンプにおいて、
前記ケーシングカバーを鋳造品からなる厚肉部材とプレス成形品からなり該厚肉部材の外面に密着固定された薄肉の耐食性のあるライニング部材とで構成したことを特徴とする遠心式ポンプ。
【請求項２】
前記ライニング部材は前記厚肉部材に圧入により密着固定されていることを特徴とする請求項１記載の遠心式ポンプ。
【請求項３】
前記厚肉部材の中央部には前記主軸が貫通する中空円筒状部が形成され、
前記ライニング部材は該中空円筒状部に嵌合する環状部を有し、
該環状部の端部は拡管され、該ライニング部材が厚肉部材から離脱しないようになっていることを特徴とする請求項１または２記載の遠心式ポンプ。
【請求項４】
前記拡管された部分は、前記軸封装置のパッキンの挿入の際にガイドになるようにテーパ形状を有していることを特徴とする請求項３記載の遠心式ポンプ。
【請求項５】
前記ケーシングカバーの厚肉部材には大気側から液体側に連通する連通孔が形成され、
該連通孔には耐食性のパイプが挿入され、該パイプと前記ライニング部材とは溶接接合されていることを特徴とする請求項１乃至４のいずれか１項に記載の遠心式ポンプ。
【請求項６】
前記溶接がレーザ溶接であることを特徴とする請求項５記載の遠心式ポンプ。
【請求項７】
ポンプ運転により発生する圧力水を外部に漏洩することを防止するための外胴を有し、該外胴の両端部もしくは一端部に密封用のＯリングを装着するための成形部を設けたことを特徴とする請求項１乃至６のいずれか１項に記載の遠心式ポンプ。
【請求項８】
前記外胴の成形部において、Ｏリングの脱落防止のために端部を外径側に拡大成形したことを特徴とする請求項７記載の遠心式ポンプ。
【請求項９】
前記外胴が取り付けられる相手側部品には、Ｏリングの挿入がしやすいように、半径方向外方にテーパ状に拡がった部分が形成されていることを特徴とする請求項８記載の遠心式ポンプ。
【手続補正２】
【補正対象書類名】明細書
【補正対象項目名】００１３
【補正方法】変更
【補正の内容】
【００１３】
また、前記拡管された部分は、前記軸封装置のパッキンの挿入の際にガイドになるようにテーパ形状を有していることを特徴とする。
また、前記ケーシングカバーの厚肉部材には大気側から液体側に連通する連通孔が形成され、該連通孔には耐食性のパイプが挿入され、該パイプと前記ライニング部材とは溶接接合されていることを特徴とする。
また、前記溶接がレーザ溶接であることを特徴とする。
また、ポンプ運転により発生する圧力水を外部に漏洩することを防止するための外胴を有し、該外胴の両端部もしくは一端部に密封用のＯリングを装着するための成形部を設けたことを特徴とする。
また、前記外胴の成形部において、Ｏリングの脱落防止のために端部を外径側に拡大成形したことを特徴とする。
また、前記外胴が取り付けられる相手側部品には、Ｏリングの挿入がしやすいように、半径方向外方にテーパ状に拡がった部分が形成されていることを特徴とする。
【手続補正３】
【補正対象書類名】明細書
【補正対象項目名】００１４
【補正方法】変更
【補正の内容】
【００１４】
本発明の遠心式ポンプの好ましい態様は、原動機と連結された主軸に取り付けられた少なくとも１つの羽根車と、該羽根車に対応して設けられた少なくとも１つのケーシングとを備えた遠心式ポンプにおいて、前記遠心式ポンプは多段ポンプからなり、前記ケーシングは複数の羽根車を収容する多段に積み重ねられた複数の中間ケーシングを含み、前記中間ケーシングは、円筒状側面部と、隣接する中間ケーシングの軸方向端面が当接する段平面部と、前記段平面部から軸方向に延びる段側面部と、前記段側面部から径方向内側に延びる底面部とを備え、前記中間ケーシングの底面部は半球または略半球形状に湾曲形成されていてもよい。
【手続補正４】
【補正対象書類名】明細書
【補正対象項目名】００１５
【補正方法】変更
【補正の内容】
【００１５】
また、前記中間ケーシングの底面部には、隣接する中間ケーシングの円筒状側面部の内周面に外周側の端面が当接する吸込板を取り付け、前記吸込板、前記段側面部、前記段平面部、および隣接する中間ケーシングの円筒状側面部の内周面によってＯリングを装着する空間を形成してもよい。
また、前記吸込板には、側板との間に挟み込む戻し羽根を設けてもよい。
【手続補正５】
【補正対象書類名】明細書
【補正対象項目名】００１６
【補正方法】変更
【補正の内容】
【００１６】
また、前記中間ケーシングの底面部から円筒状側面部の間にあるコーナー成形部を覆うようにリング状のバッフルを設けてもよい。
また、前記バッフルの内周側には複数の溝が形成されていてもよい。
また、前記溝の最大径は羽根車外径よりも小さくてもよい。
【手続補正６】
【補正対象書類名】明細書
【補正対象項目名】００１７
【補正方法】変更
【補正の内容】
【００１７】
本発明の遠心式ポンプの好ましい態様は、原動機と連結された主軸に取り付けられた少なくとも１つの羽根車と、該羽根車に対応して設けられた少なくとも１つのケーシングと、該ケーシングの開放端を密閉するケーシングカバーと、該ケーシングカバーを主軸が貫通する部分に設けられたメカニカルシールとを備えた遠心式ポンプにおいて、前記メカニカルシールは、回転側シールリングを保持するとともに前記主軸に固定されたスリーブと、前記ケーシングカバーとの間で液体をシールするシール部材を保持する円筒状部材と円板状部材からなり固定側シールリングを保持するホルダーとを備え、前記円筒状部材と円板状部材とは別部品を接合することにより形成されていてもよい。
【手続補正７】
【補正対象書類名】明細書
【補正対象項目名】００１８
【補正方法】変更
【補正の内容】
【００１８】
また、前記円板状部材は板金製の平板からなってもよい。
また、前記円筒状部材と円板状部材とは円板状部材の大気側からレーザ溶接されていてもよい。
また、前記ポンプの主軸と前記原動機の主軸との間に、前記メカニカルシールの全長より長い間隙が設けられており、前記ポンプの主軸と前記原動機の主軸とを連結するためのカップリングを取り外すことにより、前記メカニカルシールを前記間隙を介して前記ポンプの主軸から取り外すことができるようになっていてもよい。
【手続補正８】
【補正対象書類名】明細書
【補正対象項目名】００１９
【補正方法】変更
【補正の内容】
【００１９】
本発明の遠心式ポンプの好ましい態様は、原動機と連結された主軸に取り付けられた少なくとも１つの羽根車と、該羽根車に対応して設けられた少なくとも１つのケーシングと、該ケーシングの開放端を密閉するケーシングカバーと、該ケーシングカバーを主軸が貫通する部分に設けられたメカニカルシールとを備えた遠心式ポンプにおいて、前記メカニカルシールは、回転側シールリングを保持するとともに前記主軸に固定されたスリーブと、前記ケーシングカバーとの間で液体をシールするシール部材を保持する円筒状部材と円板状部材からなり固定側シールリングを保持するホルダーとを備え、前記主軸には、リング状の位置決め部材が取り付けられ、前記メカニカルシールのスリーブが該位置決め部材に当接してメカニカルシールの位置決めがされてもよい。
また、前記ホルダーは、固定側シールリングを保持する段付部を有してもよい。
【手続補正９】
【補正対象書類名】明細書
【補正対象項目名】００２０
【補正方法】変更
【補正の内容】
【００２０】
本発明の遠心式ポンプの好ましい態様は、原動機と連結された主軸に取り付けられた少なくとも１つの羽根車と、該羽根車に対応して設けられた少なくとも１つのケーシングとを備え、前記主軸の外周面に羽根車が挿入されるとともに羽根車の廻り止めを行う複数の溝を有した遠心式ポンプにおいて、前記主軸に、羽根車を主軸の軸方向に対して位置決めするリング状の位置決め部材を装着し、該位置決め部材の端面に当接する円板状部と該円板状部から折曲され前記位置決め部材の外周を囲むように設けられた円筒状部とを有したリテーナを設けてもよい。
【手続補正１０】
【補正対象書類名】明細書
【補正対象項目名】００２１
【補正方法】変更
【補正の内容】
【００２１】
また、前記リテーナは、前記主軸の溝形状に嵌合する内径部形状を有してもよい。
また、前記リテーナの円筒状部と前記位置決め部材の外周部とは接触または近接していてもよい。
【手続補正１１】
【補正対象書類名】明細書
【補正対象項目名】００２２
【補正方法】削除
【補正の内容】